(57)【要約】【課題】外出時、乳幼児を抱きかかえながら手荷物を運搬するためには、一旦手荷物、背負い荷物  等を下ろしたり、乳幼児を引率する父母などが別装備の脱着をするなどの手間がかかっていた。本発明は、乳幼児と荷物を同時に運搬するために、リュックサックを下ろすことなく使用できる抱っこ紐付リュックサックを提供する。【解決手段】リュックサックの両肩紐部の頂部近傍に一端が取り付けられる抱っこ紐肩紐部を設ける。この抱っこ紐肩紐部の他端側に設けられる乳幼児の背中を支えるための抱っこ紐背面部と、この抱っこ紐背面部と連結され、足抜き穴を有して乳幼児の尻を支えるための抱っこ紐底部とを備えた構造。抱っこ紐使用時には、抱っこ紐全体を結合リングを起点に使用者の頭部が抱っこ紐両肩紐の間をすり抜けるように使用者の前面まで持っていき、抱っこ紐底部を裏返し使用するだっこ紐付きリュックサック。【選択図】図９
2010142624.tif 000002
【特許請求の範囲】
【請求項１】
リュックサックの両肩紐部の頂部近傍に一端が取り付けられる抱っこ紐肩紐部と、この抱っこ紐肩紐部の他端側に設けられる乳幼児の背中を支えるための抱っこ紐背面部と、この抱っこ紐背面部と連結され、足抜き穴を有して乳幼児の尻を支えるための抱っこ紐底部とを備えた抱っこ紐付きリュックサック。
【発明の詳細な説明】
【技術分野】
【０００１】本発明は、乳幼児を抱きかかえる際のだっこ紐付きリュックサックに関するものである。
【背景技術】
【０００２】従来、乳幼児をだっこ及びおんぶする手段として、特開平９−１２１９８７号公報に開示される子守帯が知られており、この子守帯は、使用者の上半身に装着する支持手段の胸側および背中側に子供を保持する収容体を着脱可能に備えており、また子供の保持具としては、リュックサックの収納袋または子供キャリアを選択的し、脱着する手段を備えるものとして特開２００３−２２５１１９号公報がある。
【特許文献１】  特開平９−１２１９８７号公報
【特許文献２】  特開２００３−２２５１１９号公報
【発明の開示】
【発明が解決しようとする課題】
【０００３】外出時、乳幼児を抱きかかえる場合、両手が乳幼児を支える事で手を塞いでしまうのを避けるため、子守帯を使用して解決してきたが、同時に手荷物の運搬をする際に両手を使える状態を保つためにリュックサックがあり、子守帯とリュックサックを同時に使用するか、お互いを着脱して使用するものが有用であると考えられてきた。【０００４】しかしながら、外出時は、乳幼児を抱きかかえたり、ベビーカーやカートに乳幼児を保持させたり、歩行させたりと常に変化に富み、その都度、子守帯および着脱可能な子守帯状の支持体を収納袋から取り出し、装着および着脱を行う煩わしさがあった。また、背負ったリュックサックも都度下ろす必要があり、乳幼児の急な抱きかかえの要求に応えられないことや、装着、着脱に公共の場所が適さないことが使用を困難にしていた。安全面からは、子守帯および着脱可能な子守帯状の支持体を収納袋から取り出す際もしくは収納する際、乳幼児から目が離れる傾向があり、適した着脱場所まで行かないと他の歩行者、自転車、自動車などの交通の妨げや事故に繋がる危険性は否めない。
本発明は、以上の問題点を解決するためのものである。
【課題を解決するための手段】
【０００５】リュックサックの両肩紐部の頂部近傍に一端が取り付けられる抱っこ紐肩紐部を設ける。この抱っこ紐肩紐部の他端側に設けられる乳幼児の背中を支えるための抱っこ紐背面部と、この抱っこ紐背面部と連結され、足抜き穴を有して乳幼児の尻を支えるための抱っこ紐底部とを備えた抱っこ紐付きリュックサック。
【発明の効果】
【０００６】両手が乳幼児を支える事で手を塞いでしまうのを避けるための子守帯やリュックサックに脱着が可能な乳幼児支持体を使用する場合、従来の技術では装着および脱着時に収納袋を下ろしたり、乳幼児支持体を取り出す作業が必要であったが、本発明は、使用者はリュックサックを下ろすことなく使用することが可能になり、外出時に乳幼児を抱きかかえたり、下ろしたりを繰り返すことも容易であるため従来技術の欠点を解決できる。また本発明は、この解決手段によって、使用準備中および収納時に乳幼児から目が離れて危険性がないという利点を発揮できる。
【発明を実施するための最良の形態】
【０００７】以下、本発明の実施の形態を図で参照しながら説明する。
なお、以下に述べる実施の形態は、本発明の好適な具体例であるため、技術的に好ましい種々の限定が付されているが、本発明の形態を限定するものではない。【０００８】リュックサック両肩紐（１）の使用上の外側頂点近傍に結合リング（２）を設ける。結合リングは軽量かつ耐久性と乳幼児の荷重に耐えうる素材で、主にプラスチックが望ましい。リュックサック両肩紐（１）下部において抱っこ紐使用時の抱っこ紐背面部（９）を使用者の胸部前方で固定するためのプラスチック製差し込み錠メス型（３）を設ける。【０００９】リュックサック底部（４）の両脇から長さ調節可能な支持ベルト（５）を２本設け、先端に底部プラスチック製差し込み錠メス型（６）を設ける。【００１０】乳幼児を保持する抱っこ紐は、保持に耐えうる布を用い、乳幼児の足抜き穴（７）を設けた底部（８）と抱っこ紐背面部（９）、抱っこ紐両肩紐部（１０）からなる。抱っこ紐両肩紐部（１０）の他端は、リュックサック両肩紐（１）上の結合リング（２）で接合され、抱っこ紐は結合リング（２）を起点に使用者の頭部が抱っこ紐両肩紐部の間をすり抜けながら、使用者の前面と背面を行き来できる構造。【００１１】抱っこ紐底部（８）は、通常時リュックサック底部（４）を包み込むように覆う配置となり、乳幼児を保持する使用時には、使用者の前面で底部をひっくり返し使用できる構造であるため、抱っこ紐底部（８）からはリュックサック底部（４）両脇に設けられた支持ベルト（５）と結合できる底部プラスチック製差し込み錠オス型（１１）を設けられるが、抱っこ紐を使用する際は抱っこ紐底部（８）の外側に配置し、使用していない時は使用者の背面で裏返るため内側になり、リュックサック底部（４）との間に隠れる構造となる。【００１２】抱っこ紐背面部（９）両脇には、乳幼児背面支持用のプラスチック製差し込み錠オス型（１２）を配置し、リュックサック両肩紐（１）にある乳幼児頭部および背面支持用のプラスチック製差し込み錠メス型（３）に対応する。この乳幼児背面支持用のプラスチック製差し込み錠オス型（１２）も、本発明の構造から、抱っこ紐使用時に外側に配置し、未使用時には使用者の背面で裏返るため内側の配置となる。
本発明は以上のような構造である。【００１３】本発明を使用する時、使用者はリュックサックを背負ったまま、リュックサック底部（１）を覆っている抱っこ紐全体を上方に持ち上げるようにリュックサックから引き剥がす。【００１４】抱っこ紐全体をリュックサック両肩紐（１）とだっこ紐両肩紐（１１）をつなぐ結合リング（２）を起点に使用者の頭部が抱っこ紐両肩紐（１１）の間をすり抜けるように使用者の前面まできたら、抱っこ紐底部（８）を裏返す。【００１５】リュックサックの両肩紐にあるプラスチック製差し込み錠メス型（３）と対応した乳幼児頭部および背面支持用のプラスチック製差し込み錠オス型（１２）を結合させ、リュックサック底部両脇から伸びる支持ベルト（５）先端のプラスチック製差し込み錠オス型（６）とそれに対応した抱っこ紐底部のメス型（１１）を結合する。【００１６】本発明により使用者は、リュックサックでの荷物運搬と乳幼児の抱っこを同時にでき、かつ使用者に別体の子守帯を装着、または乳幼児の支持体を新たにリュックサックに接続することなく、リュックサックを下ろさずに乳幼児を抱きかかえたり、下ろしたりする一連の作業を容易に繰り返し行えることから、外出時においても乳幼児から目を離すことなく安全に目的を達成することができる。また、収納に関しても本発明を抱っこ紐として使用する展開方法の逆の手順で行えるので、子守帯別体を荷物として保持、またはリュックサック等に収納する必要がなくなる。
【図面の簡単な説明】
【００１７】
【図１】本発明の斜視図
【図２】本発明の正面図
【図３】本発明の背面図
【図４】本発明の側面図
【図５】本発明の上面図
【図６】本発明の下面図
【図７】本発明の展開状態を示す斜視図１
【図８】本発明の展開状態を示す斜視図２
【図９】本発明の使用状態を示す斜視図
【図１０】本発明の使用状態を示す側面図
【符号の説明】
【００１８】（１）リュックサック肩紐、（２）結合リング、（３）差し込み錠メス型、（４）リュックサック底部、（５）支持ベルト、（６）底部差し込み錠メス型、（７）足抜き穴、（８）抱っこ紐底部、（９）抱っこ紐背面部（１０）抱っこ紐肩紐部、（１１）底部差し込み錠オス型、（１２）差し込み錠オス型
【図１】
2010142624.tif 000003
【図２】
2010142624.tif 000004
【図３】
2010142624.tif 000005
【図４】
2010142624.tif 000006
【図５】
2010142624.tif 000007
【図６】
2010142624.tif 000008
【図７】
2010142624.tif 000009
【図８】
2010142624.tif 000010
【図９】
2010142624.tif 000011
【図１０】
2010142624.tif 000012